(57)【要約】【課題】本発明は、複数の記録媒体を装着することが可能でありながら、小型化と同時に薄型化された電子携帯機器を提供する。【解決手段】本発明の電子携帯機器は、縦・横に比べて厚み寸法が小さい薄型形状のボディ１１内に、ボディ厚み方向から見て、少なくとも２つの記録媒体２３，２４を互いに重ならないように収納する記録媒体収納室２８，２９と、ボディ１１内に、ボディ１１厚み方向から見て、いずれの記録媒体２３，２４とも重なる部分を持つようにバッテリ２５を収納するバッテリ収納室３０とを備える。【選択図】  図４
2005039462.tif 000002
【特許請求の範囲】
【請求項１】
縦・横に比べて厚み寸法が小さい薄型形状のボディ内に、前記ボディ厚み方向から見て、少なくとも２つの記録媒体を互いに重ならないように収納する記録媒体収納室と、
前記ボディ内に、前記ボディ厚み方向から見て、いずれの前記記録媒体とも重なる部分を持つようにバッテリを収納するバッテリ収納室とを備えたことを特徴とする電子携帯機器。
【請求項２】
前記少なくとも２つの記録媒体は、異なる種類であることを特徴とする請求項１に記載の電子携帯機器。
【請求項３】
前記記録媒体および前記バッテリは、着脱して交換することが可能であり、前記記録媒体収納室および前記バッテリ収納室は、１つの開閉扉を共有することを特徴とする請求項１または２に記載の電子携帯機器。
【請求項４】
前記記録媒体および前記バッテリは着脱して交換することが可能であり、前記記録媒体収納室および前記バッテリ収納室は、前記記録媒体の着脱方向と前記バッテリの着脱方向をほぼ平行となるように配置したことを特徴とする請求項１から３のいずれかに記載の電子携帯機器。
【請求項５】
前記記録媒体および前記バッテリは着脱して交換することが可能であり、前記記録媒体収納室および前記バッテリ収納室は、前記記録媒体の着脱方向と前記バッテリの着脱方向をほぼ垂直となるように配置したことを特徴とする請求項１から３のいずれかに記載の電子携帯機器。
【請求項６】
前記記録媒体および前記バッテリは、前記ボディからの取り出し側においてそれぞれの端部が重ならないようにずらして配置したことを特徴とする請求項１から５のいずれかに記載の電子携帯機器。
【請求項７】
前記記録媒体収納室および前記バッテリ収納室は、前記ボディ厚み方向から見て、前記記録媒体が前記バッテリの投影面積内にほぼ含まれるように配置したことを特徴とする請求項１から６のいずれかに記載の電子携帯機器。
【請求項８】
前記記録媒体収納室と前記バッテリ収納室は、１つの回路基板を挟んで設置したことを特徴とする請求項１から７のいずれかに記載の電子携帯機器。
【請求項９】
前記回路基板は、前記ボディ前面または背面に設置された表示装置に接続したことを特徴とする請求項８に記載の電子携帯機器。
【請求項１０】
撮像のための光学系と撮像した画像を表示する表示装置とを有し、前記光学系および前記表示装置は、前記ボディ厚み方向から見て、前記記録媒体収納室および前記バッテリ収納室と重ならないように配置したことを特徴とする請求項１から９のいずれかに記載の電子携帯機器。
【請求項１１】
前記光学系は屈曲光学系であり、前記屈曲光学系および前記表示装置は、前記ボディ厚み方向から見て、互いに重ならないように配置したことを特徴とする請求項１０に記載の電子携帯機器。
【発明の詳細な説明】
【０００１】
【発明の属する技術分野】
本発明は、２つ以上の記録媒体とバッテリを装着可能な電子携帯機器に関する。
【０００２】
【従来の技術】
デジタルカメラ、ＰＤＡ（情報携帯端末）および携帯電話などの電子携帯機器では、データ保存あるいはデータ交換のために交換可能な着脱式の記録媒体を装着できる製品が多く、さらに広範な要求に応えるべく複数の記録媒体を装着することができる電子携帯機器も提案されている。
【０００３】
電子携帯機器は、縦・横・厚みの寸法を総合的に小さくする小型化が重要な商品価値とされるが、近年は、単なる小型化のみならず、正面の縦・横寸法に比べて、厚み寸法をより小さくする薄型化が、市場において大きな商品価値となっている。
【０００４】
電子携帯機器の内部に装着される、記録媒体およびバッテリは、電子携帯機器全体の大きさおよび厚さに大きく影響を及ぼす構成要素である。従来、記録媒体およびバッテリは、正面から見て重なり合うことがないように配置されおり、それぞれ個別に交換するための開口または開閉蓋を有している（特許文献１参照）。
【０００５】
また、電子携帯機器に複数の記録媒体を装着することを可能とするために、厚み方向に重ねて配置したものが開示されている（特許文献２および特許文献３参照）。
【０００６】
さらに、１つの記録媒体とバッテリを厚み方向に重ねて配置する技術も提案されている（特許文献４参照）。
【０００７】
【特許文献１】
特開２００１−５３９９６号公報
【特許文献２】
特開平１１−１４６３２８号公報
【特許文献３】
特開２００１−１６９２２５号公報
【特許文献４】
特開２００２−２６２１６２号公報
【０００８】
【発明が解決しようとする課題】
しかしながら、前記従来の技術の組み合わせによって、電子携帯機器に複数の記録媒体の装着を可能にしようとすると、厚み方向に複数の記録媒体とバッテリを重ねて配置することになる。そうすると、前記記録媒体を装着するための複数のソケットが厚み方向に重ねられるだけでなく、前記バッテリも厚み方向にさらに重ねて配置されることになるために、前記複数のソケットおよび前記バッテリ収納部が積み重ねられる厚みは過大なものとなり、電子携帯機器を十分に薄型化することができないという問題があった。
【０００９】
そこで、本発明は、複数の記録媒体とバッテリを装着することができる薄型の電子携帯機器を提供することを課題とする。
【００１０】
【課題を解決するための手段】
前記課題を解決するために、本発明による電子携帯機器は、縦・横に比べて厚み寸法が小さい薄型形状のボディ内に、前記ボディ厚み方向から見て、少なくとも２つの記録媒体を互いに重ならないように収納する記録媒体収納室と、前記ボディ内に、前記ボディ厚み方向から見て、いずれの前記記録媒体とも重なる部分を持つようにバッテリを収納するバッテリ収納室とを備えるものである。
【００１１】
この構成によれば、複数の記録媒体による厚みの増加を、記録媒体１つ分に留めることで電子携帯機器の薄型化が可能となる。また、記録媒体収納室とバッテリ収納室を厚み方向に重ねて配置することで、正面投影面積が大きくなることを防止することができる。
【００１２】
また、本発明の電子携帯機器において、前記少なくとも２つの記録媒体は、異なる種類であってもよい。
【００１３】
また、本発明の電子携帯機器において、前記記録媒体および前記バッテリは、着脱して交換することが可能であり、前記記録媒体収納室および前記バッテリ収納室は、１つの開閉扉を共有してもよい。
【００１４】
この構成によれば、前記記録媒体および前記バッテリを交換するための開口を小さくすることができる。
【００１５】
また、本発明の電子携帯機器において、前記記録媒体および前記バッテリは着脱して交換することが可能であり、前記記録媒体収納室および前記バッテリ収納室は、前記記録媒体の着脱方向と前記バッテリの着脱方向をほぼ平行となるように配置してもよい。
【００１６】
この構成によっても、前記記録媒体および前記バッテリを交換するための開口を小さくすることができる。
【００１７】
また、本発明の電子携帯機器において、前記記録媒体および前記バッテリは着脱して交換することが可能であり、前記記録媒体収納室および前記バッテリ収納室は、前記記録媒体の着脱方向と前記バッテリの着脱方向をほぼ垂直となるように配置してもよい。
【００１８】
この構成によれば、前記記録媒体の着脱方向と前記バッテリの取り出し方向の違いにより誤操作を減らすことができる。
【００１９】
また、本発明の電子携帯機器において、前記記録媒体および前記バッテリは、前記ボディからの取り出し側においてそれぞれの端部が重ならないようにずらして配置してもよい。
【００２０】
この構成によれば、前記記録媒体と前記バッテリの密集による操作性の悪さを改善することができる。
【００２１】
また、本発明の電子携帯機器において、前記記録媒体収納室および前記バッテリ収納室は、前記ボディ厚み方向から見て、前記記録媒体が前記バッテリの投影面積内にほぼ含まれるように配置してもよい。
【００２２】
この構成によれば、高い空間利用率が得られる。
【００２３】
また、本発明の電子携帯機器において、前記記録媒体収納室と前記バッテリ収納室は、１つの回路基板を挟んで設置してもよい。
【００２４】
この構成によれば、前記記録媒体と前記バッテリのソケット（コネクタ、電極など）は、それぞれ前記回路基板に直接に接続・固定することができる。
【００２５】
また、本発明の電子携帯機器において、前記回路基板は、前記ボディ前面または背面に設置された表示装置に接続してもよい。
【００２６】
また、本発明の電子携帯機器は、撮像のための光学系と撮像した画像を表示する表示装置とを有し、前記光学系および前記表示装置は、前記ボディ厚み方向から見て、前記記録媒体収納室および前記バッテリ収納室と重ならないように配置してもよい。
【００２７】
また、本発明の電子携帯機器において、前記光学系は屈曲光学系の一部であり、前記屈曲光学系および前記表示装置は、前記ボディ厚み方向から見て、互いに重ならないように配置してもよい。
【００２８】
この構成によれば、電子携帯機器の厚みを増加させずに、総合的に高い空間利用率が得られる。
【００２９】
【発明の実施の形態】
以下、本発明の実施形態を、添付図面を参照しながら説明する。
【００３０】
図１から５は、本発明の第１実施形態による屈曲光学系を備えるデジタルカメラ１を示す。
【００３１】
図１に示すように、デジタルカメラ１の筐体であるボディ１１は、前面から見て縦・横の寸法に比べて厚み寸法が小さい薄型の形状を有している。デジタルカメラ１は、ボディ１１の前面にレンズ１２、ファインダ窓１３およびフラッシュ１４を有し、ボディ１１の上面にはレリーズボタン１５およびメインスイッチ１６を有している。
【００３２】
図２に示すように、デジタルカメラ１は、ボディ１１の背面に十字キー２１並びにセレクトリング２２などの操作スイッチ、モニタ（表示装置）１９およびファインダ２０を有し、さらに背面右下部に１つの開閉蓋１７を有している。モニタ１９にはライブビューおよび再生画像だけでなく、メモリ２３，２４の残りの記憶容量などの撮影情報が表示される。また、開閉蓋１７は横方向にスライドして開閉可能であり、その表面にある２つの確認窓１８は、ユーザが、記録媒体が装着されているか否かを前記開閉蓋１７を開けることなく確認できるようにするためのものである。
【００３３】
図３に示すように、前記デジタルカメラ１の前記ボディ１１内には、２つの記録媒体であるメモリ２３とメモリ２４およびバッテリ２５が装着されており、メモリ２３，２４は、ボディ１１の正面または厚み方向から見て、互いに重なり合うことなく、上下に並んで装着されている。また、バッテリ２５は、ボディ１１の厚み方向から見て、メモリ２３および２４と重なるように、そして、その投影面積内にメモリ２３，２４が含まれるように装着されている。メモリ２３とメモリ２４は、その大きさが異なることからも分かるように、異なる種類の記録媒体である。さらに、屈曲光学系ユニット２６も同じ前記ボディ１１内に収納されている。
【００３４】
図４に示すように、前記屈曲光学系ユニット２６は前記レンズ１２を透過する光をプリズム２６１で下向きに屈曲させたものであり、ズームレンズを備えながらも薄型化を達成した撮像ユニットである。前記デジタルカメラ１のボディ１１は、屈曲光学系ユニット２６を収容するに足りる最低限の厚みしか有していない。
【００３５】
図５に示すように、交換可能な着脱式のメモリ２３およびメモリ２４は、デジタルカメラ１の正面から見て、交換可能な着脱式のバッテリ２５の裏側に配置されている。１つの開閉蓋１７を取り外すことで、メモリ２３，２４およびバッテリ２５のすべてが着脱可能となり、メモリ２３，２４およびバッテリ２５の着脱方向はすべて平行（方向Ｘ）である。さらに、メモリ２３，２４およびバッテリ２５は、ボディ１１からの取り出し側においてそれぞれの端部が重ならないように、Ｘ方向にずらして装着されている。また、さらに、バッテリ２５、屈曲光学系ユニット２６、モニタ１９、十字キー２１、セレクトリング２２および他の構成要素とは、厚み方向から見て、互いに重なり合うことなく配置されている。
【００３６】
メモリ２３とメモリ２４を厚み方向から見て重なり合わないように配置し、メモリ２３および２４が厚み寸法に与える影響をメモリ１つ分にすることで薄型化を可能としている。また、バッテリ２５をその投影面積内にメモリ２３，２４を収めるように配置することで空間利用効率が高くなり、ボディ１１を小型にしている。
【００３７】
バッテリ２５およびメモリ２３，２４を着脱するための開口が１つにまとめられているために、別々の開口を設けるよりも全体として開口を小さくすることができ、さらに、バッテリ２５およびメモリ２３，２４の着脱方向をすべて平行にすることでその開口を非常に小さくすることができる。
【００３８】
メモリ２３，２４およびバッテリ２５の取り出し側の端部を互いにずらした配置は、ユーザが、着脱操作時にメモリ２３、メモリ２４またはバッテリ２５のいずれかの目的とする１つのみを摘み易くすることで、操作ミスを防止する効果がある。
【００３９】
さらに、メモリ２３，２４およびバッテリ２５を、屈曲光学系ユニット２６、モニタ１９、十字キー２１、セレクトリング２２および他の構成要素と、ボディ１１厚み方向から見て、互いに重なり合わないように配置することで、ボディ１１の厚みを大きくする要因を排除し、デジタルカメラ１を正面投影面積を大きくすることなく薄型化している。
【００４０】
図６は、本発明の第２実施形態によるデジタルカメラ１ａを示す。このデジタルカメラ１ａはデジタルカメラ１とバッテリとメモリを装着する部分の構造のみが異なるので、対応する部分には同一の符号を付して説明を省略する。
【００４１】
デジタルカメラ１ａは前記デジタルカメラ１と同様に、ボディ１１ａ内にメモリ２３ａとメモリ２４ａおよびバッテリ２５ａを有し、一つの開閉蓋１７ａを取り外すことで、メモリ２３ａ，メモリ２４ａおよびバッテリ２５ａのすべてが着脱可能である。メモリ２３ａおよび前記メモリ２４ａは重なり合うことなく上下に並んで配置され、着脱方向は平行なＸ方向であり、取り出し側の端部はＸ方向にずらされている。しかし、バッテリ２５ａは、デジタルカメラ１とは異なり、前記ボディ１１ａの底側より、前記メモリ２３ａおよび２５ａとは垂直なＹ方向に着脱される。このため、バッテリ２５ａの取り出し側の下端部はメモリ２４ａの下端とＹ方向にずらして装着されている。
【００４２】
バッテリ２５ａの着脱方向Ｙが、メモリ２３ａおよび２４ａの着脱方向Ｘと垂直であるために、前記バッテリ２５ａを抜き取る際に誤って前記メモリ２３ａ，２５ａのいずれかを一緒に抜き取ってしまうような操作ミスを防止することができる。
【００４３】
また、図示されるバッテリ２５ａのように、細長い形状のバッテリを採用するときには、バッテリ２５ａとメモリ２３ａおよび２４ａの着脱方向が垂直である方が、ボディ１１ａ内でのレイアウトが容易である。
【００４４】
しかし、その反面、開閉蓋１７ａは、図５に示す開閉蓋１７に比べてかなり大きくなっている。従って、開口部を小さくするために複数の記録媒体およびバッテリの取り出し方向を平行にするか、操作性を高めるために複数の記録媒体とバッテリの取り出し方向を垂直にするかは、状況に応じて総合的に判断し選択されるべきである。
【００４５】
図７および８は、本発明の第３実施形態によるデジタルカメラ１ｂを示す。この第３実施形態のデジタルカメラ１ｂのボディ１１ｂは前記第１実施形態と同様であるため、省略されている。
【００４６】
図７に示すように、デジタルカメラ１ｂは、メモリ２３ｂが装着されるメモリソケット（記録媒体収納室）２８ｂと、メモリ２４ｂが装着されるメモリソケット２９ｂと、バッテリ２５ｂが装着されるバッテリ収納室３０ｂを有する。２つのメモリソケット２８ｂ，２９ｂとバッテリ収納室３０ｂは、回路基板２７ｂを挟んで設置されている。メモリソケット２８ｂおよび２９ｂは接続ピンを通じて直接回路基板２７ｂに接続されている。このメモリソケット２８ｂおよび２９ｂは、装着したメモリ２３ｂまたは２４ｂを取り出す機構および取り出しのための操作部材（イジェクトレバー）を有するものであってもよい。また、モニタ１９ｂは、ボディ１１ｂの厚み方向から見て、メモリソケット２８ｂ，２９ｂと重なることなく、同じく回路基板２７ｂに接続されている。さらに、屈曲光学系ユニット２６ｂは、ボディ１１ｂの厚み方向から見て、メモリ２３ｂ，２４ｂ、メモリソケット２８ｂ，２９ｂ、バッテリ２５ｂ、および回路基板２７ｂのいずれとも重ならないように配置されている。
【００４７】
また、図８に示すように、バッテリ２５ｂは、接続ピンを通じて回路基板２７ｂに接続された接片電極３１ｂによって回路基板２７ｂに接続されており、モニタ１９ｂは外部から表示内容を確認できるようにボディ１１ｂの背面に設置されている。また、バッテリ２５ｂおよびメモリソケット２９ｂと回路基板２７ｂを重ねた厚みは、屈曲光学系ユニット２６ｂの厚みとほぼ等しく、ボディ１１ｂはそれらを収容するに足る最低限度の厚みを有している。
【００４８】
図７において、メモリ２３ｂとメモリ２４ｂをボディ１１ｂの厚み方向から見て重なり合わないように装着するために、メモリソケット２８ｂとメモリソケット２９ｂもボディ１１ｂの厚み方向から見て重なり合わないように配置されている。また、バッテリ２５ｂは、メモリ２３ｂ，２４ｂおよびメモリソケット２８ｂ，２９ｂをその投影面積内に収めるように配置されているので、空間利用効率が高くなり、ボディ１１ｂを小型にすることができる。
【００４９】
図８に示すように、メモリ２３ｂおよび２４ｂをボディ１１ｂの厚み方向に重ならないように配置したことにより、メモリ２３ｂ，２４ｂおよびバッテリ２５ｂを収容する部分の厚みが、前記屈曲光学系ユニット２６ｂの厚みと同じ程度に抑えられている。さらに、図８は、ボディ１１ｂ厚み方向から見て、屈曲光学系ユニット２６ｂおよびモニタ１９ｂと、メモリ２３ｂ，２４ｂまたはバッテリ２５ｂとを互いに重ならないように配置することで、デジタルカメラ１ｂの薄型化が可能となっていることを分かり易く示している。
【００５０】
メモリ２３ｂおよび２４ｂが厚み寸法に与える影響は、メモリソケット２８ｂおよびメモリソケット２９ｂの厚みによって決められる。メモリソケット２８ｂとメモリソケット２９ｂが互いに重なり合わないように配置されることで、メモリソケット２８ｂ，２９ｂは、大きい厚み寸法を有するメモリソケット２９ｂの１つ分の厚みを必要とするだけである。このように、複数の記録媒体を厚み方向から見て重なり合わないように配置することで薄型化が可能である。
【００５１】
図９から１２は、本発明の第４実施形態によるデジタルカメラ１ｃを示す。この第４実施形態のデジタルカメラ１ｃは、光学屈曲系ユニット２６は採用せず、より一般的な円筒形のレンズ１２ｃをボディ１１ｃの前面に有している。
【００５２】
図９に示すように、レンズ１２ｃを有するデジタルカメラ１ｃのボディ１１ｃの内部に、メモリ２３ｃおよびメモリ２４ｃがバッテリ２５ｃとボディ１１ｃの厚み方向に重なって配置されている。
【００５３】
また、図１０から１２には、メモリ２３ｃと２４ｃおよびバッテリ２５ｃに加えて回路基板２７ｃが示され、それぞれ各図に示されるデジタルカメラは、正面から見たときにはすべて図９に示される要素配置を実現するが、メモリ２３ｃ，２４ｃとバッテリ２５ｃおよび回路基板２７ｃが配置される厚み方向の順序が異なっている。
【００５４】
図１０に示すように、デジタルカメラ１ｃのボディ１１ｃの内部には、正面側からバッテリ２５ｃ、メモリ２３ｃ、メモリ２４ｃおよび回路基板２７ｃが順番に配置されており、それらが重なった厚みは、ほぼボディ１１ｃの厚みいっぱいである。ここで、メモリ２３ｃおよびメモリ２４ｃはほぼ同じ大きさに表わされているが、大きさおよび／または厚さの異なる記録媒体であってもよいことは先に説明したとおりである。
【００５５】
通常、メモリ２３ｃ、メモリ２４ｃおよびバッテリ２５ｃは、すべて回路基板２７ｃに電気的に接続されねばならないとともに、機械的にボディ１１ｃの内部で動かないように固定されねばならない。つまり、メモリ２３ｃと２４ｃのための２つのソケットおよびバッテリ２５ｃのソケット（コネクタまたは電極など）は、それぞれ、回路基板２７ｃに電気的に接続されるとともに、ボディ１１ｃ内部に固定されなければならない。
【００５６】
一般に、回路基板２７ｃはボディ１１ｃに何らかの方法で固定されるため、メモリ２３ｃと２４ｃのための２つのソケットは、回路基板２７ｃに直接接続することで固定できる。しかし、バッテリ２５ｃは、メモリ２３ｃまたはメモリ２４ｃの厚み分の高さを有する特別に設計されたソケットによらなければ、回路基板２７ｃに直接接続することができない。
【００５７】
一方、図１１に示す例では、正面側から、バッテリ２５ｃ、回路基板２７ｃ、メモリ２３ｃおよびメモリ２４ｃの順番で配置されている。この例では、メモリ２３ｃと２４ｃの両ソケットおよびバッテリ２５ｃのソケットは、いずれも回路基板２７ｃに電気的および機械的に直接接続することができる。
【００５８】
図１２では、図１１の例とは逆に、正面側から、メモリ２３ｃ、メモリ２４ｃ、回路基板、バッテリ２５ｃの順番で配置されている。当然に、この例でも図１１の例と同様に、メモリ２３ｃと２４ｃのための２つのソケットおよびバッテリ２５ｃのソケットは、いずれも回路基板２７ｃに電気的および機械的に直接接続することができる。
【００５９】
このように、メモリ２３ｃおよび２４ｃとバッテリ２５ｃとを、回路基板２７ｃを挟んで設置することで、デジタルカメラ１ｃの小型化および薄型化が実現されている。
【００６０】
図１３および１４は、本発明の第５実施形態による横長形状のデジタルカメラ１ｄを示す。デジタルカメラ１ｄは横長形状のボディ１１ｄを有し、ボディ１１ｄの前面には、円筒型のレンズ１２ｄ、ファインダ窓１３ｄおよびフラッシュ１４ｄを有する。ボディ１１ｄ底面には中央部でヒンジ止めされた開閉蓋１７ｄを有するとともに、前記デジタルカメラボディ１１ｄ内にはメモリ２３ｄ、メモリ２４ｄおよびバッテリ２５ｄが収納されている。さらに前記ボディ１１ｄ背面には、モニタ１９ｄ、ファインダ２０ｄおよび十字キー２１ｄを有している。
【００６１】
図１４が示すように、メモリ２３ｄおよびメモリ２４ｄが横方向に並んで、バッテリ２５ｄのカメラ背面側にその投影面積内に収まるように配置されている。また、メモリ２３ｄ，２４ｄおよびバッテリ２５ｄは、すべてデジタルカメラのボディ１１ｄの底側から着脱することが可能である。この配置の特徴は、収容するメモリ２３ｄおよびメモリ２４ｄが極端に細長い形状を有するものでなければ、それらを投影面積内に収めるバッテリ２５ｄは横に長い形状となるはずである。デジタルカメラの構成要素の中でも最も大きい要素の１つであるバッテリが横長に配置されることで、デジタルカメラ全体の高さ寸法が小さくなり、横長形状を実現しつつ薄型のデジタルカメラとすることが可能である。
【００６２】
図１５から１８は、本発明の第６実施形態によるデジタルカメラ１ｅを示す。デジタルカメラ１ｅのボディ１１ｅは第５実施形態と同一であるため省略されている。
【００６３】
図１５に示すように、レンズ１２ｅを有するデジタルカメラ１ｅのボディ１１ｅの内部には、メモリ２３ｅおよびメモリ２４ｅがバッテリ２５ｅとボディ１１ｅの厚み方向に重なって配置されている。
【００６４】
また、図１６から１８には、メモリ２３ｅ，２４ｅ、バッテリ２５ｅおよび回路基板２７ｅが示され、正面から見たときに同じ図１５の配置となるが、メモリ２３ｅ，２４ｅと、バッテリ２５ｅおよび回路基板２７ｅが配置される厚み方向の順序がそれぞれ異なっている。
【００６５】
図１６に示すように、デジタルカメラ１ｅのボディ１１ｅの内部には、正面側からバッテリ２５ｅ、メモリ２３ｅ，２４ｅおよび回路基板２７ｅが順番に配置されており、それらが重なった厚みは、ほぼボディ１１ｅの厚みいっぱいである。メモリ２３ｅとメモリ２４ｅは大きさおよび／または厚さの異なる記録媒体であってもよい。メモリ２３ｅ，２４ｅのための２つのソケットは、回路基板２７ｅに直接接続できるが、バッテリ２５ｅのソケットは、特別に設計されたソケットでなければ回路基板２７ｅに直接接続することができない。
【００６６】
図１７に示す例では、正面側から、バッテリ２５ｅ、回路基板２７ｅ、およびメモリ２３ｅ，２４ｅの順番で配置されている。この例では、メモリ２３ｅ，２４ｅのための２つのソケットおよびバッテリ２５ｅのソケットは、いずれも回路基板２７ｅに電気的および機械的に直接接続することができる。
【００６７】
図１８では、図１７の例とは逆に、正面側から、メモリ２３ｅ，２４ｅ、回路基板２７ｅおよびバッテリ２５ｅの順番で配置されている。当然に、この例でも図１７の例と同様に、メモリ２３ｅと２４ｅのための２つのソケットおよびバッテリ２５ｅのソケットは、いずれも回路基板２７ｅに電気的および機械的に直接接続することができる。
【００６８】
このように、前記メモリ２３ｅ，２４ｅと前記バッテリ２５ｅとを、前記回路基板２７ｅを挟んで設置することで、デジタルカメラ１ｅの小型化および薄型化が実現されている。
【００６９】
図１９は第７の実施形態である携帯電話２を示す。携帯電話２はレンズ１２ｆを含むカメラモジュール３２ｆを有しており、撮像機能を有している。また、携帯電話３は、種類が異なる２つの記録媒体である、メモリ２３ｆおよびメモリ２４ｆを装着することが可能であり、携帯電話３の正面から見て、メモリ２３ｆ，２４ｆと重なるようにバッテリ２５ｆが装着される。
【００７０】
このように、携帯電話２を薄型に保ったままで、２つのメモリ２３ｆ，２４ｆを装着可能とすることができたことは、本発明に特徴的な記録媒体とバッテリの配置が、デジタルカメラだけではなく携帯電話にも有効であることを示している。もちろん、本発明は、ＰＤＡなど他の種類の電子携帯機器においても小型化と薄型化を同時に実現するために有効である。
【００７１】
【発明の効果】
以上の説明から明らかなように、本発明によれば、複数の記録媒体を装着することを可能としながら、記録媒体全体の厚みを最も厚い記録媒体１つ分の厚みに抑えるとともに、記録媒体およびバッテリと他の構成要素の空間利用効率を高めることで、小型であると同時に厚み寸法が小さい薄型の電子携帯機器を提供することができる。
【図面の簡単な説明】
【図１】本発明の第１実施形態によるデジタルカメラの外観を示す斜視図である。
【図２】図１のデジタルカメラの背面図である。
【図３】図１のデジタルカメラの内部構成要素の配置を示す正面図である。
【図４】図３のＩ−Ｉ線断面図である。
【図５】図２と同様の背面図であり、記録媒体およびバッテリの蓋を外した状態を示す。
【図６】本発明の第２実施形態によるによるデジタルカメラの背面図であり、記録媒体およびバッテリの蓋を外した状態を示す。
【図７】本発明の第３実施形態によるによるデジタルカメラ内部構造の斜視図である。
【図８】図７のデジタルカメラの平面図である。
【図９】本発明の第４実施形態によるデジタルカメラの内部構成要素の配置を示す簡略化した正面図である。
【図１０】図９の構成要素の厚み方向の配置を示す左側面図である。
【図１１】図１０と異なる構成要素の厚み方向の配置順序を示す図９の左側面図である。
【図１２】図１０とさらに異なる構成要素の厚み方向の配置順序を示す図９の左側面図である。
【図１３】本発明の第５実施形態による横長形状のデジタルカメラの正面図である。
【図１４】図１３のデジタルカメラの背面図である。
【図１５】本発明の第６実施形態によるデジタルカメラの内部構成要素の配置を示す簡略化した正面図である。
【図１６】図１５の構成要素の厚み方向の配置を示す平面図である。
【図１７】図１６と異なる構成要素の厚み方向の配置順序を示す図１５の平面図である。
【図１８】図１６とさらに異なる構成要素の厚み方向の配置順序を示す図１５の平面図である。
【図１９】本発明の第７の実施形態による携帯電話の正面図である。
【符号の説明】
１，１ａ〜ｅ  デジタルカメラ（電子携帯機器）
２  携帯電話（電子携帯機器）
１１  ボディ（筐体）
１２  レンズ
１３  ファインダ窓
１４  フラッシュ
１５  レリーズボタン
１６  メインスイッチ
１７  開閉蓋
１８  確認窓
１９  モニタ（表示装置）
２０  ファインダ
２１  十字キー
２２  セレクトリング
２３  メモリ（記録媒体）
２４  メモリ（記録媒体）
２５  バッテリ
２６  屈曲光学系ユニット
２７  回路基板
２８  メモリソケット（記録媒体収納室）
２９  メモリソケット（記録媒体収納室）
３０  バッテリ収納室
３１  接片電極
３２  カメラモジュール
【図１】
2005039462.tif 000003
【図２】
2005039462.tif 000004
【図３】
2005039462.tif 000005
【図４】
2005039462.tif 000006
【図５】
2005039462.tif 000007
【図６】
2005039462.tif 000008
【図７】
2005039462.tif 000009
【図８】
2005039462.tif 000010
【図９】
2005039462.tif 000011
【図１０】
2005039462.tif 000012
【図１１】
2005039462.tif 000013
【図１２】
2005039462.tif 000014
【図１３】
2005039462.tif 000015
【図１４】
2005039462.tif 000016
【図１５】
2005039462.tif 000017
【図１６】
2005039462.tif 000018
【図１７】
2005039462.tif 000019
【図１８】
2005039462.tif 000020
【図１９】
2005039462.tif 000021